【事件の表示】
　平成　１年特許願第３２９３６１号「一体的使い捨て吸収性物品」拒絶査定に対する審判事件［平成　３年　６月１１日出願公開、特開平　３−１３６６５３］について、次のとおり審決する。
【結　論】
　本件審判の請求は、成り立たない。
【理　由】
１．手続の経緯・本願発明
　本願は平成１年１２月１９日（パリ条約による優先権主張１９８８年１２月２１日）の出願であって、その請求項１ないし９に係る発明は、平成１１年６月３日付で補正された明細書及び図面の記載からみて、その特許請求の範囲の請求項１ないし９に記載されたとおりのものと認められるところ、その請求項１に記載された発明（以下、「本願第１発明」という。）は次のとおりである。
「１．ガーメント面と身体面とを備えた吸収性コアーと、前記吸収性コアーのガーメント面に隣接して配置された液不浸透性バックシートと、前記吸収性コアーの身体面に隣接して配置された液浸透性トップシートとを有し、長手方向縁部と端縁部を備えた一体的使い捨て吸収性物品において、
　弾性材料の単一片で形成された単一ウエイストキャップ／ウエイストバンドが前記吸収性物品の端縁部の少なくとも一方に隣接して配置され、
　前記ウエイストキャップ／ウエイストバンドは、外側部分とこの外側部分に隣接する内側部分を有し、
　前記外側部分は、前記吸収性物品の前記端縁部の近くに作動的に結合されて、着用者の腰回りにフィットして吸収性物品のウエイスト部分からの漏れを防ぐためのウエイストバンドを形成し、
　前記内側部分は、中心縁部と末端縁部と端部とを有し、中心縁部が前記吸収性物品に結合され、末端縁部が前記中心縁部から内方へ隔置され、内側部分の端部の近くが前記吸収性物品に作動的に結合され、
　前記内側部分の少なくとも一部は、前記内側部分が前記吸収性物品の液体収容面から隔置されるように前記端部の間で吸収性物品の下側部分に固定されず、身体の浸出物の流れを制止しその浸出物を吸収性物品の内部に収容するための起立したウエイストキャップを形成することを特徴とする使い捨て吸収性物品。」
　
２．引用例
　これに対して、原査定の拒絶の理由に引用した、本願出願前に日本国内で頒布された刊行物である、特開昭６３−１８２４０２号公報には、以下の点が記載されている。
ａ．「収容ポケットを有する一体的使い捨て吸収性製品」（発明の名称）
ｂ．「本発明は使い捨てオシメなどの吸収性製品に関するものであり、特に吸収性製品の収容特性を改良するようにバリヤカフスを有する吸収性製品に関するものである。」（第２頁右上欄第９〜１２行）
ｃ．「本発明によれば、オシメなどの吸収性製品は、衣類面と身体面とを有する吸収性コアと、前記吸収性コアの衣類面に隣接して配置された不透液性バックシートと、吸収性製品の各長手方縁に隣接配置されそれぞれ第１近位置と第１遠位置とを有する第バリヤカフスと、前記の第１バリヤカフスの第１遠位置を吸収性製品の体液受容面から離間するため前記第１バリヤカフスのそれぞれと組合わされたスペーサ手段と、吸収性製品の少なくとも一方の末端縁に隣接して、好ましくは吸収性製品の各末端縁に隣接して配置され、第２近位置と第２遠位置とを有する第２バリヤカフスとを含み、前記バリヤカフスの遠位置が吸収性製品の隅部において相互に重なって収容ポケットを成す。……さらに、吸収性製品の隅部に隣接して閉鎖手段が第１遠位置と第２遠位置とを相互に固着し、これらの遠位置を吸収性製品の体液受容面から離間保持する。バリヤカフスの遠位置は体液受容面から離間されているので
収容ポケットはバリヤカフスの近位置と遠位置との間に形成されたチャンネルを有して、排泄物を拘束し、収容し、保持する」（第３頁左上欄第１０行〜右上欄第１３行）
ｄ．「オシメ２０は液体透過性トップシート３８と、このトップシート３８によって画成されたオシメの体液受容面４０と、液体不透過性バックシート４２と側面縁４６およびウエスト縁３７を有し、」（第３頁右下欄第１２〜１５行）
ｅ．「第３図は、第１図の３−３線に沿って取られた部分断面図であって、オシメ２０の後側ウエスト区域２４の好ましい構造を示す。」（第５頁右上欄第１〜３行）
ｆ．「別個のバリヤカフス部材をオシメ２０の長手方縁３０に隣接して、接着剤などの取り付け手段８８によって取り付ける事によって第２バリヤカフス２６２が形成される。取り付け手段８８と第２バリヤカフス２６２と、バックシート４２とによって漏れ抵抗シールが形成される。」（第５頁右上欄第１０〜１５行）
ｇ．「第２バリヤカフス２６２の第２チャンネル部分２７５は第２フラップ部分２７４と連結し、第２近位置２６４と第２遠位置２６６とを有する。また第２近位置２６４は、吸収性コア４４のウエスト縁４７の外側において、ウエストｌ４７と末端縁３２との間に、第２バリヤカフス部に一部をバックシート４２に対して接着剤ビードなどの縁取り付け手段９２によって固着することによって形成され、第２近位置２６４に沿って漏れ抵抗シールを成す。第２遠位置２６６は、第２近位置２６４の内側においてオシメ２０の下方層に対して固着されない。」（第５頁左下欄第１〜１２行）
ｈ．「トップシート３８は吸収性コア４４の身体面に隣接して配置され、好ましくは吸収性コア４４のウエスト縁４７を越えて延在し、近位置２６４の内側に隣接して終わり」（第５頁右下欄第８〜１２行）
ｉ．「バリヤカフスは収縮性でなければならない。バリヤカフスは、ポリプロピレン、ポリエステル、レイヨン、ナイロン、フォーム、プラスチックフィルム、成形フィルム、および弾性フォームなどの各種の材料で構成することができる。（第９頁右下欄第３〜７行）
ｊ．「第２バリヤカフス２６２はオシメ２０の少なくとも一方の末端縁３２に隣接して配置され、好ましくは各末端縁に隣接して配置される。単一の第２バリヤカフス２６２がオシメ２０の中に存在する場合、これを前側ウエスト区域２２または後側ウエスト区域２４のいずれに配置してもよい。後側ウエスト区域２１に配置された第２バリヤカフス２６２は排便された糞を収容するために特に有効であり、前側ウエスト区域２２に配置された第２バリヤカフス２６２男性着用者の尿の流れを収容するために特に有効である。これらの両方の利点を生じまたオシメ２０の外周２８全体に収容ポケットを形成するため、第２バリヤカフス２６２は好ましくは各末端縁３２に隣接して配置される。各第２バリヤカフス２６２の第２近位端２６４は、好ましくはオシメ２０の末端縁３２とオシメの横方向中心線３４との間に配置される。さらに好ましくは、第２近位端２６４は吸収性コア４４のウエスト側縁４７の外側に配置される。」（第１０頁左下欄第１〜１９行）
　また、第３図には、第２バリヤカフス２６２が、第２遠位置においてオシメ２０のトップシート４０から隔離され起立した状態で第２近位置２６４においてオシメ２０に結合されている態様が示されている。
　
３．対比・判断
　本願第１発明と上記の刊行物に記載された発明（以下、「引用発明」という。）とを対比する。
　引用発明の「吸収性製品あるいはオシメ２０」、「一体的使い捨て吸収性製品」、「吸収性コア」、「不透液性バックシートあるいは液体透過性バックシート４２」、「液体透過性トップシート３８」、「衣類面」は、本願第１発明の「吸収性物品」、「一体的使い捨て吸収性物品」、「吸収性コアー」、「液不浸透性バックシート」、「液浸透性トップシート」、「ガーメント面」にそれぞれ相当し、引用発明のバリヤカフスは、収縮性を必要とし、それを構成する材料として弾性フォーム」が例示されていること（記載ｉ）及び図面の記載からみて、引用発明の第２バリヤカフス２６２は、「弾性材料の単一片で形成され」た単一の部材であるということができ、さらに、該第２バリヤカフス２６２はオシメ２０の長手方向の端縁部の少なくとも一方に隣接して配置されており、第２近位置と第２遠位置を有しており（記載ｃ）、第２近位置がバックシートに固着されて漏れ抵抗シールをなしており、第２遠位置は第２近位置２６４の内側においてオシメの下方層に対して固着されない（記載ｇ）ことから、引用発明の「第２近位置」及び「第２遠位置」）はそれぞれ本願第１発明の「外側部分」、「内側部分」に相当するものと認められる。そして、引用発明の「第２遠位置」はその第２近位置との境界部すなわち縁部においてオシメに固着されるとともに、隅部に隣接して第１遠位置と相互に固着する（記載ｃ）ものであるが、該第１遠位置は第１バリヤカフスすなわちオシメなどの吸収製品の一部にあり、上記結合により、遠位置を体液受容面から離間保持するものであることから、引用発明の第２遠位置も縁部が吸収性製（物）品に結合され、（結合されていない側の）末端縁部が前記結合された縁部から内方へ隔置され、端部の近くである隅部に隣接した位置で吸収製品に作動的に結合しているということができる。さらに、引用発明において遠位置が形成する「収容ポケット」は、排泄物を拘束し、収容し、保持する（記載ｃ）ものであるので、ウエスト部に配置された第２バリヤカフスの第２遠位置が形成する収容ポケットは、本願第１発明の、「身体の浸出物の流れを制止しその浸出物を吸収性物品の内部に収容するための起立したウエストキャップ」に相当するものということができる。
　以上の点に鑑みると、本願第１発明と引用発明とは、
「ガーメント面と身体面とを備えた吸収性コアーと、前記吸収性コアーのガーメント面に隣接して配置された液不浸透性バックシートと、前記吸収性コアーの身体面に隣接して配置された液浸透性トップシートとを有し、長手方向縁部と端縁部を備えた一体的使い捨て吸収性物品において、
　弾性材料の単一片で形成された単一部材が前記吸収性物品の端縁部の少なくとも一方に隣接して配置され、
　前記単一部材は、外側部分とこの外側部分に隣接する内側部分を有し、
　前記外側部分は、前記吸収性物品の前記端縁部の近くに結合されて、
　前記内側部分は、縁部が前記吸収性物品に結合され、末端縁部が前記縁部から内方へ隔置され、内側部分の端部の近くが前記吸収性物品に作動的に結合され、
　前記内側部分の少なくとも一部は、前記内側部分が前記吸収性物品の液体収容面から隔置されるように前記端部の間で吸収性物品の下側部分に固定されず、身体の浸出物の流れを制止しその浸出物を吸収性物品の内部に収容するための起立したウエイストキャップを形成することを特徴とする使い捨て吸収性物品。」
である点で一致しており、以下の点で相違している。
相違点（イ）
　本願第１発明の単一部材である「ウエイストキャップ／ウエイストバンド」の外側部分は、吸収性物品の縁部の近くに「作動的に結合されて、着用者の腰回りにフィットして吸収性物品のウエイスト部分からの漏れを防ぐためのウエイストバンドを形成」しているのに対し、引用発明の第２バリヤカフスの第２近位置は、オシメの縁部に結合して、漏れ抵抗シールを形成しているが、「作動的に結合されて着用者の腰回りにフィットするウエイストバンドを形成しているかどうか明らかでない。
相違点（ロ）
　本願第１発明の「ウエイストキャップ／ウエイストバンド」の内側部分は、「中心縁部と末端縁部と端部とを有し、中心縁部が前記吸収性物品に結合され、末端縁部は前記中心縁部から内方へ隔置され」ているのに対し、引用発明の第２バリヤカフスの第２遠位置は、その縁部、すなわち第２近位置と隣接する部分でオシメに結合されており、該結合部から内方に隔置された位置に端縁部すなわち末端縁部を有しているが、オシメと結合する縁部が「中心縁部」であるとはいっていない。
　そこで、上記の相違点について検討する。
相違点（イ）について
　引用発明の第２バリヤカフスの第２近位置が結合されるオシメの縁部は着用者のウエスト部に適用される部分であり（記載ｊ）、該第２バリヤカフスが弾性材料で形成され、収縮性のものである以上、着用者の腰回りにフィットするように、その結合を、弾性的すなわち作動的にすることは当業者であれば当然考慮することであり、そのようにすることに格別の困難性があるものともいえない。また、引用発明の漏れ抵抗シールが、ウエスト部からの漏れを防いでいることも明らかである。そして、上記のように着用者のウエスト部に適用される部分を「ウエイストバンド」ということに格別の意義も見いだせない。
相違点（ロ）について　
　本願第１発明の「中心縁部」について、明細書の発明の詳細な説明には、「内側部分８２は、外側部分８０に隣接し且つ中心縁部８４と末端縁部８６を有する。内側部分８２の中心縁部８４は、おしめの端縁部３２の内部において、なるべく吸収性コアー４４のウエイスト縁部４８と外側部分８０との間で、前記中心縁部８４に沿ってシールを形作るように接着剤のような中心取り付け部材１００によって前記ウエイストフラップ５８（トップシート３８）に対し内側部分８２のセグメントを結合することにより作られる。」と記載されており、該記載を図面とともに検討しても、「中心縁部」の特に「中心」の意味するところは不明であり、上記の記載からは、「中心縁部８４」は、内側部分のおしめの端縁部３２の内部で、おしめを構成する部分と結合してシールを形作るものである点で、引用発明の第２バリヤカフスの第２遠位置の、第２近位置と隣接する縁部と何ら変わるところはなく、これを「中心縁部」と称したことに格別の意義を見いだせない。　
　以上のとおり、上記相違点はいずれも格別なものではなく、本願第１発明は、引用発明に基づいて当業者が容易に発明をすることができたものである。
　なお、当審において、請求人の要望により、合議体と面談する機会を与え、技術説明を受けたが、該技術説明の内容及び、その後、請求人より提示された補正案を検討しても、上記の当審の判断を覆すべき理由は見いだせない。
　
４．むすび
　したがって、本願の請求項１に係る発明は、特許法第２９条第２項の規定により特許を受けることができないものであるから、本願は、拒絶すべきものである。
　よって、結論のとおり審決する。